【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
複数の多値データで構成されたラスタデータを取得する第１取得手段と、
前記多値データの各レベルに対応する変換パターン情報を取得する第２取得手段と、
各ラスタの最初に用いる変換パターンを特定する初期情報を前記多値データのレベル毎に取得する第３取得手段と、
前記第３取得手段が取得すべき初期情報を決定する決定手段と、
前記第２取得手段により取得した変換パターン情報と、前記第３取得手段により取得した初期情報とに基づいて、前記第１取得手段により取得したラスタデータについて前記複数の多値データからドットデータへの変換をラスタ毎に行う変換手段と、を備え、
前記変換手段は、前記多値データのレベルのうち少なくとも１つのレベルに対応する変換パターンが複数ある場合に、当該レベルにおいて前記複数の変換パターンを所定順に用いる第１モードと、当該レベルにおいて前記複数の変換パターンを前記所定順とは逆の順に用いる第２モードと、を有しており、
前記変換手段は、前記ラスタデータを第１方向に記録を行う場合には前記第１モードで前記変換を行い、前記ラスタデータを前記第１方向とは反対方向の第２方向に記録を行う場合には前記第２モードで前記変換を行い、
前記決定手段は、前記変換手段が前記第１モード及び前記第２モードのいずれで前記変換を行うかに基づいて前記第３取得手段が取得すべき初期情報を決定し、
同一記録領域に対して記録ヘッドを前記第１方向及び前記第２方向にそれぞれ１回以上走査させて記録を行う場合には、前記変換手段は、走査の回数に応じて間引いて前記変換を行う
ことを特徴とする画像処理装置。
【請求項２】
前記第１取得手段により取得した前記ラスタデータ毎に、前記複数の変換パターンの使用の順序を判定する判定手段をさらに備え、
前記変換手段は、前記第２取得手段により取得した変換パターンの情報と、前記第３取得手段により取得した初期情報と、前記判定手段により判定された前記使用の順序と、に基づいて、前記変換を行う
ことを特徴とする請求項１に記載の画像処理装置。
【請求項３】
前記第１取得手段は、前記ラスタデータをラスタ毎に取得する
ことを特徴とする請求項１又は２に記載の画像処理装置。
【請求項４】
前記決定手段は、
前記変換手段が前記第１モードで前記変換を行う場合には、前記第３取得手段が取得すべき初期情報を、ラスタデータの一方の端部に用いる変換パターンを特定する第１初期情報として決定し、
前記変換手段が前記第２モードで前記変換を行う場合には、前記第３取得手段が取得すべき初期情報を、前記ラスタデータの他方の端部に用いる変換パターンを特定する第２初期情報として決定する
ことを特徴とする請求項１乃至３のいずれか１項に記載の画像処理装置。
【請求項５】
前記第１初期情報又は前記第２初期情報は、各変換パターンに割当てられたパターン番号を示す
ことを特徴とする請求項４に記載の画像処理装置。
【請求項６】
レベル毎にラスタにおける変換パターンを特定する開始情報を設定する設定手段をさらに備え、
前記設定手段は、
前記変換手段が前記第１モードで前記変換を行う場合には、前記第１初期情報に基づいて前記開始情報を更新し、
前記変換手段が前記第２モードで前記変換を行う場合には、前記第２初期情報に基づいて前記開始情報を更新し、
前記第３取得手段は、前記開始情報を初期情報として取得する
ことを特徴とする請求項４又は５に記載の画像処理装置。
【請求項７】
前記第１初期情報をラスタ毎に設定する第２の設定手段をさらに備える
ことを特徴とする請求項４乃至６のいずれか１項に記載の画像処理装置。
【請求項８】
前記第１取得手段により取得したラスタデータが、１ラスタを構成する多値データが全てゼロである空ラスタであるかを判定する第２の判定手段をさらに備え、
前記変換手段は、前記第２の判定手段により空ラスタであると判定されたラスタに対しては前記変換を行わない
ことを特徴とする請求項１乃至７のいずれか１項に記載の画像処理装置。
【請求項９】
前記ラスタデータに含まれる前記多値データの数をレベル毎にカウントするカウント手段を備える
ことを特徴とする請求項１乃至８のいずれか１項に記載の画像処理装置。
【請求項１０】
前記多値データは１画素に対応する多値データであり、
前記ドットデータはビットマップデータであり、
前記変換パターンは前記ビットマップデータに対応したドットパターンである
ことを特徴とする請求項１乃至９のいずれか１項に記載の画像処理装置。
【請求項１１】
複数の多値データで構成されたラスタデータを取得する第１取得工程と、
前記多値データの各レベルに対応する変換パターン情報を取得する第２取得工程と、
各ラスタの端部の変換パターンを特定する初期情報を前記多値データのレベル毎に取得する第３取得工程と、
前記第３取得手段が取得すべき初期情報を決定する決定工程と、
前記第２取得工程により取得した変換パターン情報と、前記第３取得工程により取得した初期情報とに基づいて、前記第１取得工程により取得したラスタデータについて前記複数の多値データからドットデータへの変換をラスタ毎に行う変換工程と、を有し、
前記変換工程では、前記多値データのレベルのうち少なくとも１つのレベルに対応する変換パターンが複数ある場合において、第１方向に記録を行うときには、当該レベルにおいて前記複数の変換パターンを所定順に用いる第１モードで前記変換を行い、前記第１方向とは反対方向の第２方向に記録を行うときには、当該レベルにおいて前記複数の変換パターンを前記所定順とは逆の順に用いる第２モードで前記変換を行い、
前記決定工程では、前記変換工程において前記第１モード及び前記第２モードのいずれの動作モードで前記変換を行うかに基づいて、前記第３取得工程において取得すべき初期情報を決定し、
同一記録領域に対して記録ヘッドを前記第１方向及び前記第２方向にそれぞれ１回以上走査させて記録を行う場合には、前記変換工程では、走査の回数に応じて間引いて前記変換を行う
ことを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、画像処理装置及び画像処理方法に関する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
上記課題を解決するため、本発明の一態様は、複数の多値データで構成されたラスタデータを取得する第１取得手段と、前記多値データの各レベルに対応する変換パターン情報を取得する第２取得手段と、各ラスタの最初に用いる変換パターンを特定する初期情報を前記多値データのレベル毎に取得する第３取得手段と、前記第３取得手段が取得すべき初期情報を決定する決定手段と、前記第２取得手段により取得した変換パターン情報と、前記第３取得手段により取得した初期情報とに基づいて、前記第１取得手段により取得したラスタデータについて前記複数の多値データからドットデータへの変換をラスタ毎に行う変換手段と、を備え、前記変換手段は、前記多値データのレベルのうち少なくとも１つのレベルに対応する変換パターンが複数ある場合に、当該レベルにおいて前記複数の変換パターンを所定順に用いる第１モードと、当該レベルにおいて前記複数の変換パターンを前記所定順とは逆の順に用いる第２モードと、を有しており、前記変換手段は、前記ラスタデータを第１方向に記録を行う場合には前記第１モードで前記変換を行い、前記ラスタデータを前記第１方向とは反対方向の第２方向に記録を行う場合には前記第２モードで前記変換を行い、前記決定手段は、前記変換手段が前記第１モード及び前記第２モードのいずれで前記変換を行うかに基づいて前記第３取得手段が取得すべき初期情報を決定し、同一記録領域に対して記録ヘッドを前記第１方向及び前記第２方向にそれぞれ１回以上走査させて記録を行う場合には、前記変換手段は、走査の回数に応じて間引いて前記変換を行うことを特徴とする。
【手続補正６】
【補正対象書類名】明細書
【補正対象項目名】００１３
【補正方法】削除
【補正の内容】